(57)【要約】【課題】  上位装置５１に問い合わせして印刷ジョブの受信時から消去するまでの経過時間を所定時間延長すること。【解決手段】  認証コード検出手段２−１は、印刷ジョブからデータ付加認証情報を検出し、上位装置特定手段２−２は、印刷ジョブの送信元を特定し、ＲＡＭ３は、データ付加認証情報、印刷ジョブの送信元、及び印刷ジョブを格納し、操作部５は、印刷要求認証情報を受け入れ、経過時間計測手段４−１は、データ付加認証情報を有する印刷ジョブの受信時からの経過時間を計測し、消去延長要否問い合わせ手段４−２は、経過時間計測手段４−１による計測結果が所定の時間を経過すると上記送信元へ消去時間延長の要否回答を求め、消去・延長決定処理手段４−３は、消去延長要否問い合わせ手段４−２による回答結果が消去延長要であると上記印刷ジョブ受信時から消去するまでの経過時間を所定時間延長する。【選択図】        図１
2006231673.tif 000002
【特許請求の範囲】
【請求項１】
データ付加認証情報を有する印刷ジョブを受信し、印刷要求認証情報との照合結果に基づいて、印刷出力する画像形成装置であって、
前記印刷ジョブから前記データ付加認証情報を検出するデータ付加認証情報検出手段と、
前記印刷ジョブの送信元を特定する送信元特定手段と、
前記検出したデータ付加認証情報、前記特定した印刷ジョブの送信元、及び前記データ付加認証情報を有する印刷ジョブを格納する記憶部と、
前記印刷要求認証情報を受け入れる入力部と、
前記データ付加認証情報を有する印刷ジョブの受信時からの経過時間を計測する経過時間計測手段と、
該経過時間計測手段による計測結果が所定の時間を経過すると前記送信元へ消去時間延長の要否回答を求める消去延長要否問い合わせ手段と、
該消去延長要否問い合わせ手段による回答結果が消去延長要であると、前記印刷ジョブの受信時から消去するまでの経過時間を所定時間延長する消去・延長決定処理手段とを備えることを特徴とする画像形成装置。
【請求項２】
前記消去・延長決定処理手段は、前記回答結果が消去延長否であると、前記記憶部から前記データ付加認証情報、印刷ジョブの送信元、及び前記データ付加認証情報を有する印刷ジョブを消去することを特徴とする請求項１に記載の画像形成装置。
【請求項３】
装置内部における異常事態の発生と復旧を監視し、異常事態の発生から復旧に至るまでの時間を計測する装置状態検出部を更に備え、
前記消去時間延長手段は、前記装置状態検出部の計測による異常事態の発生から復旧に至るまでの間、前記印刷ジョブの受信時から消去するまでの経過時間の進行を停止させることを特徴とする請求項１又は請求項２に記載の画像形成装置。
【請求項４】
前記消去延長要否問い合わせ手段による所定の上位装置に対する消去時間延長の要否回答を求める回数を管理し、該回数が所定回数に達すると、該当する上位装置に対して延長要求を行わずに、前記記憶部から前記データ付加認証情報を有する印刷ジョブ、及びその属性管理情報を消去する消去延長回数履歴管理部を更に備えることを特徴とする請求項１又は請求項２に記載の画像形成装置。
【請求項５】
前記消去延長要否問い合わせ手段は、更に、前記送信元以外の上位装置から前記データ付加認証情報を有する印刷ジョブに関する親展データ情報の問い合わせがあると、該親展データ情報を、前記問い合わせ先へ送信して前記親展データの延長／削除要求を受け入れる機能を有すことを、特徴とする請求項１又は請求項２に記載の画像形成装置。
【発明の詳細な説明】
【技術分野】
【０００１】
本発明は、画像形成装置に関し、特にネットワークに接続された画像形成装置の認証印刷に関するものである。
【背景技術】
【０００２】
近年、１台の画像形成装置をネットワークを介して複数の上位装置が共同で使用する場合が多い。この様な環境の中で、画像形成装置が上位装置からパスワード付きの印刷ジョブを受信すると、画像形成装置内部のＲＡＭ（ランダムアクセスメモリ）に一旦格納する。画像形成装置は、オペレータが画像形成装置に入力したパスワードと、上記印刷ジョブに付加されてきたパスワードとを照合し、両パスワードが一致した場合に印刷処理を実行する。所定時間内にオペレータによるパスワードの入力が無い場合には、上記ＲＡＭに一旦格納された印刷ジョブを消去してしまう（特許文献１参照）。従って、何らかの事情によって、オペレータが画像形成装置にパスワードを入力するまでに、上記所定の時間が経過してしまった場合には、オペレータは再度繰り返して印刷ジョブを送信しなければならなかった。
【特許文献１】特開２００４−２４９６２５号公報
【発明の開示】
【発明が解決しようとする課題】
【０００３】
解決しようとする問題点は、所定時間内にパスワードの入力が無い場合には、上記ＲＡＭに一旦格納された印刷ジョブは消去されてしまうので、何らかの事情によって、オペレータが画像形成装置にパスワードを入力するまでに所定の時間が経過してしまった場合には、オペレータは再度繰り返して印刷ジョブを送信しなければならなかった点である。
【課題を解決するための手段】
【０００４】
本発明では、印刷ジョブからデータ付加認証情報を検出するデータ付加認証情報検出手段と、上記印刷ジョブの送信元を特定する送信元特定手段と、上記データ付加認証情報、上記印刷ジョブの送信元、及び上記データ付加認証情報を有する印刷ジョブを格納する記憶部と、上記印刷要求認証情報を受け入れる操作部と、上記データ付加認証情報を有する印刷ジョブの受信時からの経過時間を計測する経過時間計測手段と、該経過時間計測手段による計測結果が所定の時間を経過すると上記送信元へ消去時間延長要否の回答を求める消去延長要否問い合わせ手段と、上記回答結果が消去延長要であると、上記印刷ジョブの受信時から消去するまでの経過時間を所定時間延長する消去時間延長手段とを備えることを主要な特徴とする。
【発明の効果】
【０００５】
経過時間計測手段による計測結果が所定の時間を経過すると、上記消去延長要否問い合わせ手段が上記送信元へ消去時間延長要否の回答を求め、その回答結果が消去延長要であると、印刷ジョブの受信時から消去するまでの経過時間が延長されるので、何らかの事情によって、オペレータが画像形成装置にパスワードを入力する時間が所定の時間を経過してしまった場合であっても、オペレータは再度繰り返して印刷ジョブを送信する必要が無くなるという効果を得る。
【発明を実施するための最良の形態】
【０００６】
本発明による画像形成装置では、データ付加認証情報検出手段、送信元特定手段、経過時間計測手段、消去延長要否問い合わせ手段、及び消去・延長決定処理手段の全てを、装置内部に備えるＣＰＵ（マイクロプロフェッサ）が、予めＲＯＭ（リードオンリーメモリ）に格納されている所定の制御プログラムを実行することによって起動されるコンピュータ制御手段によって構成した。
【実施例１】
【０００７】
図１は、実施例１の構成を示すブロック図である。
図に示すように実施例１の画像形成装置１００は、入出力Ｉ／Ｆ部１と、属性管理部２と、ＲＡＭ３と、消去延長処理部４と、操作部５と、計時部６と、印刷部７と、ＣＰＵ８と、ＲＯＭ９と、共通バス１０とを備える。以下にその詳細について説明する。但し、画像形成装置１００に於ける通常の印刷ジョブの処理に関する部分の説明は省略し、パスワード照合を必要とする印刷ジョブ（以後親展印刷ジョブと記す）の処理に関係する部分についてのみ説明する。
【０００８】
入出力Ｉ／Ｆ部１は、ネットワーク５０を介して、画像形成装置１００と、上位装置５１とを通信接続するインタフェース部分である。
【０００９】
属性管理部２は、その内部に認証コード検出手段２−１と、上位装置特定手段２−２と、照合手段２−３と、親展データ管理手段２−４とを有し、上位装置５１から入出力Ｉ／Ｆ部１を介して受け入れた親展印刷ジョブを管理する部分である。この部分は、ＲＯＭ９に予め格納されている所定の制御プログラムをＣＰＵ８が実行することによって起動される部分である。
【００１０】
認証コード検出手段２−１は、受け入れた親展印刷ジョブに付加されているパスワード（以後データ付加認証情報と記す）を検出し、ＲＡＭ３の属性管理情報格納領域３−２に格納する手段である。
【００１１】
上位装置特定手段２−２は、受け入れた親展印刷ジョブの送信側アドレスから送信元を特定して、その送信側アドレス（例えばＩＰアドレス等）をＲＡＭ３の属性管理情報格納領域３−２に格納する手段である。
【００１２】
照合手段２−３は、上記、受け入れた親展印刷ジョブに付加されているデータ付加認証情報（パスワード）と、オペレータが印刷ジョブの印刷出力を求めて操作部５を介して入力したオペレータのパスワード（以後印刷要求認証情報と記す）とを照合し、その照合結果を出力する手段である。
【００１３】
親展データ管理手段２−４は、上記データ付加認証情報（パスワード）、及び上記親展印刷ジョブの送信側アドレスの、属性管理情報格納領域３−２における格納アドレスを管理する手段である。更に、親展データ格納領域３−１における親展印刷ジョブの格納アドレスを管理する手段である。
【００１４】
ＲＡＭ３は、ＣＰＵ８がＲＯＭ９に予め格納されている制御プログラムを実行する過程の中で必要になる演算領域を形成するランダムアクセスメモリである。本実施例では、特に、通常の演算領域の他に、親展データ格納領域３−１と、属性管理情報格納領域３−２とを形成するランダムアクセスメモリである。
【００１５】
親展データ格納領域３−１は、上位装置５１から入出力Ｉ／Ｆ部１を介して受け入れた親展印刷ジョブを格納する領域である。この格納アドレスは、親展データ管理手段２−４によって管理される。
【００１６】
属性管理情報格納領域３−２は、認証コード検出手段２−１が検出したデータ付加認証情報（パスワード）、及び上位装置特定手段２−２が特定した印刷データの送信元アドレスを格納する領域である。この格納アドレスは、親展データ管理手段２−４によって管理される。
【００１７】
消去延長処理部４は、その内部に経過時間計測手段４−１と、消去延長要否問い合わせ手段４−２と、消去・延長決定処理手段４−３とを有し、親展印刷ジョブの受信時から所定の時間が経過すると、送信元へ消去時間延長要否の回答を求め、その回答結果が消去延長要であると、印刷ジョブを受信してから消去するまでの経過時間を延長し、回答結果が消去延長否であるか又は回答がない場合には親展印刷ジョブを消去する部分である。この部分は、ＲＯＭ９に予め格納されている所定の制御プログラムをＣＰＵ８が実行することによって起動される部分である。
【００１８】
経過時間計測手段４−１は、データ付加認証情報（パスワート）を有する印刷ジョブ受信時からの経過時間を計測する手段である。この経過時間は、計時部６が出力する時刻情報に基づいて計測される。
【００１９】
消去延長要否問い合わせ手段４−２は、経過時間計測手段４−１による計測結果が所定の時間を経過すると上記送信元へ消去時間延長の要否回答を求めるメッセージを送信し、その回答を受け入れる手段である。
【００２０】
消去・延長決定処理手段４−３は、消去延長要否問い合わせ手段４−２による回答結果が消去延長要であると、親展印刷ジョブの受信時から消去するまでの経過時間を所定時間延長し、回答結果が消去延長否であるか又は回答がない場合には親展印刷ジョブを消去する手段である。
【００２１】
操作部５は、親展印刷ジョブの印刷出力を求めるオペレータが印刷要求認証情報（パスワード）を入力する操作パネルである。
計時部６は、装置が稼働中における時刻情報を出力する時計である。
印刷部７は、ＣＰＵ８の制御に基づいて、入出力Ｉ／Ｆ部１を介して受信した親展印刷ジョブの内、印刷出力が認められた親展印刷ジョブを印刷出力するプリントエンジンである。
【００２２】
ＣＰＵ８は、ＲＯＭ９に予め格納されている制御プログラムを実行して装置全体を制御するマイクロプロセッサである。特に、本実施例では、通常の制御に加えて、ＲＯＭ９に予め格納されている制御プログラムを実行して、属性管理部２、及び消去延長処理部４を起動する部分である。
【００２３】
ＲＯＭ９は、ＣＰＵ８が実行することによって装置全体を制御する制御プログラムを予め格納するリードオンリーメモリである。特に本実施例では、ＣＰＵ８が実行することによって属性管理部２、及び消去延長処理部４とを起動する制御プログラムを予め格納するリードオンリーメモリである。
【００２４】
以上説明した画像形成装置１００の動作について説明する。
最初に画像形成装置１００（図１）と上位装置（クライアントＰＣ）５１との間に於ける信号送受信のシーケンスについて説明する。
【００２５】
図２は、データ消去時間延長のシーケンスである。
図の左側に画像形成装置を、右側に上位装置を配置し、図の上方から下方に向けて時間経過を表す。
時刻ｔ１
上位装置５１がネットワークを介して画像形成装置１００に対して親展印刷ジョブを送信する。
【００２６】
時刻ｔ２
画像形成装置１００は、親展印刷ジョブを受信する。
時刻ｔ３
画像形成装置１００は、所定の時間Ｔ１経過しても、オペレータ（印刷出力要求者）が印刷要求認証情報（パスワード）を入力しないので、ネットワークを介して延長要否問い合わせ信号を上位装置５１に対して送信する。
【００２７】
時刻ｔ４
上位装置５１は、延長要否問い合わせ信号を受信すると、上位装置５１の画像表示部５１−１に親展印刷の延長要否確認画像を表示する。
【００２８】
図３は、親展印刷の延長要否確認画像である。
図に示すように親展印刷の延長要否確認画像には、親展印刷ジョブを特定するための内容として「時間」と「ファイル」と「頁数」が表示され、本データが５分後（Ｔ２後）に消去される旨の警告がなされる。図２に戻ってデータ消去時間延長のシーケンスの説明を続ける。
【００２９】
時刻ｔ５
オペレータ（印刷出力要求者）が、親展印刷の延長要否確認画像（図３）の時間延長を要する旨の表示「Ｙｅｓ」をクリックすると、上位装置５１からネットワークを介して画像形成装置１００に対して延長要求信号が送信される。
【００３０】
時刻ｔ６
画像形成装置１００は、延長要求信号を受信する。このとき画像形成装置１００が延長要否問い合わせ信号を送信したｔ３から、未だ所定の時間Ｔ２が経過していないので画像形成装置１００は、所定の時間Ｔ１を延長する。
【００３１】
時刻ｔ７
画像形成装置１００は、所定の時間Ｔ１経過しても、オペレータ（印刷出力要求者）が印刷要求認証情報（パスワード）を入力しないので、ネットワークを介して延長要否問い合わせ信号を上位装置５１に対して送信する。以下同様のシーケンスを繰り返す。
【００３２】
図４は、ジョブ消去のシーケンスである。
図の左側に画像形成装置を、右側に上位装置を配置し、図の上方から下方に向けて時間経過を表す。
時刻ｔ１１
上位装置５１がネットワークを介して画像形成装置１００に対して親展印刷ジョブを送信する。
【００３３】
時刻ｔ１２
画像形成装置１００は、親展印刷ジョブを受信する。
時刻ｔ１３
画像形成装置１００は、所定の時間Ｔ１経過しても、オペレータ（印刷出力要求者）が印刷要求認証情報（パスワード）を入力しないので、ネットワークを介して延長要否問い合わせ信号を上位装置５１に対して送信する。
【００３４】
時刻ｔ１４
上位装置５１は、延長要否問い合わせ信号を受信すると、上位装置５１の画像表示部５１−１に親展印刷の延長要否確認画像（図３）を表示する。
【００３５】
時刻ｔ１５
オペレータ（印刷出力要求者）が、親展印刷の延長要否確認画像（図３）の時間延長を必要としない旨の表示「Ｎｏ」をクリックすると、上位装置５１からネットワークを介して画像形成装置１００に対して延長否信号が送信される。
【００３６】
時刻ｔ１６
画像形成装置１００は、延長否信号を受信する。画像形成装置１００が延長要否問い合わせ信号を送信したｔ１３から、所定の時間Ｔ２を経過していないので画像形成装置１００は、所定の時間Ｔ２が経過するまで親展印刷ジョブを保持し続ける。
【００３７】
時刻ｔ１７
画像形成装置１００は、所定の時間Ｔ１経過しても、オペレータ（印刷出力要求者）が印刷要求認証情報（パスワード）を入力しないので、親展印刷ジョブを消去してネットワークを介して親展印刷ジョブの消去通知を送信する。
【００３８】
時刻ｔ１８
上位装置５１は、親展印刷ジョブの消去通知を受信し、上位装置５１の画像表示部５１−１に親展印刷ジョブの消去通知画像を表示する。
図５は、親展印刷ジョブの消去通知画像である。
図に示すように親展印刷ジョブの消去通知画像には、親展印刷ジョブを特定するための内容として「時間」と「ファイル」と「頁数」が表示され、本データが消去された旨の表示がなされる。オペレータ（印刷出力要求者）は、「表示クリア」をクリックしてシーケンスを終了する。
【００３９】
以上の説明に於いて、時刻ｔ５でオペレータ（印刷出力要求者）が回答しなかった場合も、時刻ｔ１７では同様の処理がなされる。
次に、画像形成装置の内部動作、及び上位装置の内部動作について説明する。
【００４０】
図６は、実施例１の画像形成装置の動作説明図である。
図に示すステップＳ１−１からステップＳ１−１８までステップ順に実施例１の画像形成装置の動作について説明する。
【００４１】
ステップＳ１−１
上位装置５１（図１）からネットワークを介して印刷ジョブを入出力Ｉ／Ｆ部（図１）が受信する。図２の時刻ｔ２に該当する。
【００４２】
ステップＳ１−２
印刷ジョブは、一時親展データ格納領域３−１（図１）に格納される。
ステップＳ１−３
認証コード検出手段２−１（図１）は、データ付加認証情報（パスワート）を検索し、検出出来なかった場合はステップＳ１−１７へ進み、検出出来た場合はステップＳ１−４へ進む。
【００４３】
ステップＳ１−４
上位装置特定手段２−２（図１）は、上位装置（クライアントＰＣ）５１（図１）のＩＰアドレスからクライアントＰＣを特定する。ここでＩＰアドレスは一例であって例えばメールアドレス等であっても良い。
【００４４】
ステップＳ１−５
データ付加認証情報（パスワート）と、上位装置（クライアントＰＣ）５１（図１）のＩＰアドレスは、属性管理情報格納領域３−２（図１）に格納され親展データ管理手段２−４（図１）によって管理される。
【００４５】
ステップＳ１−６
経過時間計測手段４−１（図１）は、経過時間の計時を開始する。
ステップＳ１−７
消去延長要否問い合わせ手段４−２（図１）は、印刷要求認証情報（パスワード）の受け入れを監視する。入力されたときはステップＳ１−１８へ進み、入力されないときはステップＳ１−８へ進む。
【００４６】
ステップＳ１−８
消去延長要否問い合わせ手段４−２（図１）は、印刷要求認証情報（パスワード）がＴ１以内に入力されるのを待って、ステップＳ１−７、ステップＳ１−８を繰り返しながら待機し、Ｔ１以内に入力された場合はステップＳ１−７からステップＳ１−１８へ進み、Ｔ１以内に入力されない場合はステップＳ１−９へ進む。ここでＴ１は、上位装置が親展印刷ジョブを送信してから画像形成装置に印刷要求認証情報（パスワード）が入力されるまでの時間と、延長要否問い合わせ信号を送信してからオペレータが、印刷要求認証情報（パスワード）を入力するために上位装置から画像形成装置まで移動する時間を考慮して設定される。
【００４７】
ステップＳ１−９
消去延長要否問い合わせ手段４−２（図１）は、所定の時間Ｔ１経過しても、オペレータ（印刷出力要求者）が印刷要求認証情報（パスワード）を入力しないので、ネットワークを介して延長要否問い合わせ信号を上位装置５１に対して送信する。図２の時刻ｔ３に該当する。
【００４８】
ステップＳ１−１０
消去延長要否問い合わせ手段４−２（図１）は、印刷要求認証情報（パスワード）が入力されるのを待って待機する。印刷要求認証情報（パスワード）が入力された場合にはステップＳ１−１８へ進み、入力されない場合にはステップＳ１−１１へ進む。
【００４９】
ステップＳ１−１１
延長要求信号が入力されれば（図２の時刻ｔ６に該当する）、消去・延長決定処理手段４−３（図１）が消去時間を延長してステップＳ１−７へ戻る。ステップＳ１−７からステップＳ１−１１までが繰り返され、その繰り返し中に印刷要求認証情報（パスワード）が入力されればステップＳ１−７から、又はステップＳ１−１０からステップＳ１−１８へ進む。また、繰り返し中に再度Ｔ１時間経過してしまい、ステップＳ１−９で消去延長要否問い合わせ手段４−２（図１）が延長要否問い合わせ信号を上位装置５１に対して送信し（図２の時刻ｔ７に該当する）、延長要求信号が再度入力された場合には再度消去時間が延長される。又繰り返し中に延長要求信号が入力されなければ、ステップＳ１−１２へ進む。
【００５０】
ステップＳ１−１２
消去・延長決定処理手段４−３（図１）は、延長否信号が入力された場合（図４の時刻ｔ１６に該当）には、ステップＳ１−１５へ進み、延長否信号が入力されない場合にはステップＳ１−１３へ進む。
【００５１】
ステップＳ１−１３
消去・延長決定処理手段４−３（図１）は、経過時間計測手段４−１を監視し、Ｔ２を経過したときはステップＳ１−１４へ進み、経過しないときはステップＳ１−１０へ戻ってステップＳ１−１０からステップＳ１−１３を繰り返し、その途中で延長否信号が入力された場合（消去要求）には、ステップＳ１−１２からステップＳ１−１５へ進む。
【００５２】
ステップＳ１−１４
消去・延長決定処理手段４−３（図１）は、所定の時間Ｔ１経過しても、オペレータ（印刷出力要求者）が印刷要求認証情報（パスワード）を入力しないので、ネットワークを介して親展印刷ジョブの消去通知を送信する。図４の時刻ｔ１７に該当する。
【００５３】
ステップＳ１−１５
消去・延長決定処理手段４−３（図１）は、親展データ格納領域３−１（図１）から親展印刷ジョブを消去する。
ステップＳ１−１６
消去・延長決定処理手段４−３（図１）は、属性管理情報格納領域３−２（図１）から、該当する親展データ属性管理情報を消去してフローを終了する。
【００５４】
ステップＳ１−１７
通常の印刷処理に該当する印刷ジョブなので、印刷部７（図１）は、印刷データを印刷出力して処理を終了する。
【００５５】
ステップＳ１−１８
照合手段２−３（図１）がデータ付加認証情報（パスワート）と印刷要求認証情報（パスワード）との照合を確認すると、印刷部７（図１）は、親展データ管理手段２−４（図１）から親展印刷ジョブの格納アドレスを受け入れて印刷ジョブを印刷出力してステップＳ１−１５へ進み、ステップＳ１−１５、ステップＳ１−１６を通ってフローを終了する。
【００５６】
図７は、実施例１の上位装置の動作説明図である。
図に示すステップＳ１−２１からステップＳ１−２８までステップ順に実施例１の上位装置の動作について説明する
ステップＳ１−２１
入出力部５１−３（図１）を介して制御部５１−２（図１）が、画像形成装置１００（図１）から延長要否問い合わせ信号を受信する。
【００５７】
ステップＳ１−２２
制御部５１−２（図１）は、画像表示部５１−１（図１）に親展印刷の延長要否確認画像（図３）を表示する。図２の時刻ｔ４、又は図４の時刻ｔ１４が該当する。
【００５８】
ステップＳ１−２３
オペレータが「Ｙｅｓ」（図３）をクリック又は押下するとステップＳ１−２９へ進み、クリック又は押下しない場合にはステップＳ１−２４へ進む。
【００５９】
ステップＳ１−２４
オペレータが「Ｎｏ」（図３）をクリック又は押下するとステップＳ１−２９へ進み、クリック又は押下しない場合にはステップＳ１−２５へ進む。
【００６０】
ステップＳ１−２５
オペレータが応答しないので、所定の時間Ｔ１の経過すると入出力部５１−３（図１）は、画像形成装置１００（図１）から、ネットワークを介して親展印刷ジョブの消去通知を受信する。図４の時刻ｔ１８に該当する。
【００６１】
ステップＳ１−２６
制御部５１−２（図１）は、画像表示部５１−１（図１）に親展印刷ジョブの消去通知画像（図５）を表示する。
【００６２】
ステップＳ１−２７
オペレータは、「表示クリア」をクリック又は押下して次へ進む。図４の時刻ｔ１８が該当する。
【００６３】
ステップＳ１−２８
制御部５１−２（図１）は、画像表示部５１−１（図１）から親展印刷ジョブの消去通知画像（図５）を消去してフローを終了する。
【００６４】
ステップＳ１−２９
制御部５１−２（図１）は、画像表示部５１−１（図１）から親展印刷の延長要否確認画像（図３）を消去して次へ進む。
【００６５】
ステップＳ１−３０
制御部５１−２（図１）は、画像形成装置へ延長要否の回答を送信してフローを終了する。図２の時刻ｔ５、又は図４の時刻ｔ１５に該当する。
【００６６】
以上説明したように、本実施例によれば、経過時間計測手段による計測結果が所定の時間経過すると、上記消去延長要否問い合わせ手段が上記送信元へ消去時間延長要否の回答を求め、その回答結果が消去延長要であると、印刷ジョブ受信時から消去するまでの経過時間が延長されるので、何らかの事情によって、オペレータが画像形成装置にパスワードを入力する時間が所定の時間を経過してしまった場合であっても、オペレータは再度繰り返して印刷ジョブを送信する必要が無くなるという効果を得る。
【実施例２】
【００６７】
本実施例では、画像形成装置のメンテナンスや、記録紙詰まりによる異常事態発生によって印刷出力が不可能になる場合を想定し、かかる場合に異常事態発生から復旧に至るまでの時間Ｔ３だけ、実質的に、親展印刷ジョブを受信してから消去するまでの経過時間の進行を停止させることとする。
【００６８】
図８は、実施例２の構成を示すブロック図である。
図に示すように実施例２の画像形成装置２００は、入出力Ｉ／Ｆ部１と、属性管理部２と、ＲＡＭ３と、操作部５と、計時部６と、印刷部７と、共通バス１０と、消去延長処理部１１と、装置状態検出部１２と、継続電源供給部１３と、ＣＰＵ１４と、ＲＯＭ１５とを備える。以下に、実施例１との相違部分のみについて説明する。実施例１と同様の部分については、実施例１と同一の符合を付して説明を省略する。
【００６９】
消去延長処理部１１は、その内部に経過時間計測手段１１−１と、消去延長要否問い合わせ手段４−２と、消去・延長決定処理手段４−３とを有し、親展印刷ジョブの受信時から所定の時間が経過すると、送信元へ消去時間延長要否の回答を求め、その回答結果が消去延長要であると、印刷ジョブを受信してから消去するまでの経過時間を延長し、回答結果が消去延長否であるか又は回答がない場合には親展印刷ジョブを消去する部分である。更に、装置内部に異常事態が発生すると、異常事態発生時から異常事態復旧時まで、上記印刷ジョブを受信してから消去するまでの経過時間の進行を停止させて、実施例１で説明したＴ１、Ｔ２を計測する部分である。この部分は、ＲＯＭ１５に予め格納されている所定の制御プログラムをＣＰＵ１４が実行することによって起動される手段である。
【００７０】
経過時間計測手段１１−１は、データ付加認証情報（パスワート）を有する印刷ジョブ受信時からの経過時間を計測する手段である。この経過時間は、計時部６が出力する時刻情報に基づいて計測される。更に、装置内部に異常事態が発生すると、異常事態発生時から異常事態復旧時までの時間（Ｔ３）、上記印刷ジョブを受信してからの経過時間の進行を停止させて、実施例１で説明したＴ１、Ｔ２を計測する手段である。
【００７１】
装置状態検出部１２は、装置内部における異常事態の発生と復旧を監視し、異常事態の発生から復旧に至るまでの時間Ｔ３を計測する部分である。ここで、異常事態とは、例えば用紙詰まり等によって印刷不可能になる状態をいう。この部分は、ＲＯＭ１５に予め格納されている所定の制御プログラムをＣＰＵ１４が実行することによって起動される手段である。
【００７２】
継続電源供給部１３は、図示しない装置の主電源がオフの場合であっても、計時部６に電源を供給し、時間情報の継続取得を可能にする部分であり、通常充電可能な電池が用いられ、装置の主電源がＯＮのときに充電するものとする。
【００７３】
ＣＰＵ１４は、ＲＯＭ１５に予め格納されている制御プログラムを実行して装置全体を制御するマイクロプロセッサである。特に、本実施例では、実施例１における制御に加えて、ＲＯＭ１５に予め格納されている制御プログラムを実行して、消去延長処理部１１と、装置状態検出部１２とを起動する部分である。
【００７４】
ＲＯＭ１５は、ＣＰＵ１４が実行することによって装置全体を制御する制御プログラムを予め格納するリードオンリーメモリである。特に本実施例では、実施例１で格納する制御プログラムに加えて、ＣＰＵ１４が実行することによって消去延長処理部１１と、装置状態検出部１２とを起動する制御プログラムを予め格納するリードオンリーメモリである。
【００７５】
以上説明した画像形成装置２００の動作について説明する。
画像形成装置２００（図８）と上位装置５１（図８）との間に於ける信号送受信のシーケンス、及びについて上位装置５１（図８）の動作は、実施例１と同様なので説明を省略し、画像形成装置２００（図８）の動作のみについて説明する。
【００７６】
図９は、実施例２の画像形成装置の動作説明図である。
図に示すステップＳ２−１からステップＳ２−２２までステップ順に実施例２の画像形成装置の動作について説明する。
【００７７】
ステップＳ２−１
上位装置５１（図８）からネットワークを介して印刷ジョブを入出力Ｉ／Ｆ部（図８）が受信する。図２の時刻ｔ２に該当する。
【００７８】
ステップＳ２−２
印刷ジョブは、一時親展データ格納領域３−１（図８）に格納される。
ステップＳ２−３
認証コード検出手段２−１（図８）は、データ付加認証情報（パスワート）を検索し、検出出来なかった場合はステップＳ２−１８へ進み、検出出来た場合はステップＳ２−４へ進む。
【００７９】
ステップＳ２−４
上位装置特定手段２−２（図８）は、上位装置（クライアントＰＣ）５１（図８）のＩＰアドレスからクライアントＰＣを特定する。ここでＩＰアドレスは一例であって例えばメールアドレス等であっても良い。
【００８０】
ステップＳ２−５
データ付加認証情報（パスワート）と、上位装置（クライアントＰＣ）５１（図８）のＩＰアドレスは、属性管理情報格納領域３−２（図８）に格納され親展データ管理手段２−４（図８）によって管理される。
【００８１】
ステップＳ２−６
経過時間計測手段１１−１（図８）は、経過時間の計時を開始する。
ステップＳ２−７
消去延長要否問い合わせ手段４−２（図８）は、印刷要求認証情報（パスワード）の受け入れを監視する。入力されたときはステップＳ２−１９へ進み、入力されないときはステップＳ２−８へ進む。
【００８２】
ステップＳ２−８
装置状態検出部１２（図８）が、異常事態を検出した場合にはステップＳ２−２０へ進み、異常事態を検出しない場合にはステップＳ２−９へ進む。
【００８３】
ステップＳ２−９
消去延長要否問い合わせ手段４−２（図８）は、印刷要求認証情報（パスワード）がＴ４以内に入力されるのを待って、ステップＳ２−７、ステップＳ２−８、ステップＳ２−２０、ステップＳ２−２１、ステップＳ２−２２、ステップＳ２−９、ステップＳ２−７を繰り返しながら待機し、Ｔ４以内に入力された場合はステップＳ２−７からステップＳ２−１９へ進み、Ｔ４（＝Ｔ１＋Ｔ３）以内に入力されない場合はステップＳ２−１０へ進む。ここでＴ１は、上位装置が親展印刷ジョブを送信してから画像形成装置に印刷要求認証情報（パスワード）が入力されるまでの時間と、延長要否問い合わせ信号を送信してからオペレータが、印刷要求認証情報（パスワード）を入力するために上位装置から画像形成装置まで移動する時間を考慮して設定される。更に、Ｔ３は、装置状態検出部１２が、異常事態を検出してから復旧するまでに経過した時間である。
【００８４】
ステップＳ２−１０
消去延長要否問い合わせ手段４−２（図８）は、所定の時間Ｔ４経過しても、オペレータ（印刷出力要求者）が印刷要求認証情報（パスワード）を入力しないので、ネットワークを介して延長要否問い合わせ信号を上位装置５１に対して送信する。図２の時刻ｔ３に該当する。
【００８５】
ステップＳ２−１１
消去延長要否問い合わせ手段４−２（図８）は、印刷要求認証情報（パスワード）が入力されるのを待って待機する。印刷要求認証情報（パスワード）が入力された場合にはステップＳ２−１９へ進み、入力されない場合にはステップＳ２−１２へ進む。
【００８６】
ステップＳ２−１２
延長要求信号が入力されれば（図２の時刻ｔ６に該当する）、消去・延長決定処理手段４−３（図８）が消去時間を延長してステップＳ２−７へ戻る。ステップＳ２−７からステップＳ２−１２（ステップＳ２−８とステップＳ２−９の間にステップＳ２−２０からステップＳ２−２２を含む）までが繰り返され、その繰り返し中に印刷要求認証情報（パスワード）が入力されればステップＳ２−７から、又はステップＳ２−１１からステップＳ２−１９へ進む。また、繰り返し中に再度Ｔ４時間経過してしまった場合には、ステップＳ２−１０で消去延長要否問い合わせ手段４−２（図８）が延長要否問い合わせ信号を上位装置５１に対して送信し（図２の時刻ｔ７に該当する）、延長要求信号が再度入力された場合には再度消去時間が延長される。又繰り返し中に延長要求信号が入力されなければ、ステップＳ２−１３へ進む。
【００８７】
ステップＳ２−１３
消去・延長決定処理手段４−３（図８）は、延長否信号が入力された場合（図４の時刻ｔ１６に該当）には、ステップＳ２−１６へ進み、延長否信号が入力されない場合にはステップＳ２−１４へ進む。
【００８８】
ステップＳ２−１４
消去・延長決定処理手段４−３（図８）は、経過時間計測手段１１−１を監視し、Ｔ２を経過したときはステップＳ２−１５へ進み、経過しないときはステップＳ２−１１へ戻ってステップＳ２−１１からステップＳ２−１４を繰り返し、その途中で延長否信号が入力された場合（消去要求）には、ステップＳ２−１３からステップＳ２−１６へ進む。
【００８９】
ステップＳ２−１５
消去・延長決定処理手段４−３（図８）は、所定の時間Ｔ４経過しても、オペレータ（印刷出力要求者）が印刷要求認証情報（パスワード）を入力しないので、ネットワークを介して親展印刷ジョブの消去通知を送信する。図４の時刻ｔ１７に該当する。
【００９０】
ステップＳ２−１６
消去・延長決定処理手段４−３（図８）は、親展データ格納領域３−１（図８）から親展印刷ジョブを消去する。
ステップＳ２−１７
消去・延長決定処理手段４−３（図８）は、属性管理情報格納領域３−２（図８）から、該当する親展データ属性管理情報を消去してフローを終了する。
【００９１】
ステップＳ２−１８
通常の印刷処理に該当する印刷ジョブなので、印刷部７（図８）は、印刷データを印刷出力して処理を終了する。
【００９２】
ステップＳ２−１９
照合手段２−３（図８）がデータ付加認証情報（パスワート）と印刷要求認証情報（パスワード）との照合を確認すると、印刷部７（図８）は、親展データ管理手段２−４（図８）から親展印刷ジョブの格納アドレスを受け入れて印刷データを印刷出力してステップＳ２−１６へ進み、ステップＳ２−１６、ステップＳ２−１７を通ってフローを終了する。
【００９３】
ステップＳ２−２０
装置状態検出部１２（図８）は、異常事態発生時からの経過時間（Ｔ３）の計測を開始する。
【００９４】
ステップＳ２−２１
装置状態検出部１２（図８）は、異常事態発生時からの経過時間（Ｔ３）を計測しながら復旧を待つ。
【００９５】
ステップＳ２−２２
装置状態検出部１２（図８）は、異常事態の復旧を検出し経過時間Ｔ３を保持してステップＳ２−９へ進む。この経過時間Ｔ３に基づいてＴ４が算出され以後のフローを経過してフローを終了する。
【００９６】
以上説明したように、本実施例によれば、画像形成装置のメンテナンスや、記録紙詰まりによる異常事態発生によって印刷出力が不可能な場合は、印刷出力不可能な時間Ｔ３だけ、実質的に、印刷ジョブを受信してから消去するまでの経過時間の進行が停止されるので印刷出力が不可能な時間中に親展印刷ジョブが消去されることが無くなり、更に、親展印刷ジョブの消去までの間に要否確認を問い合わせする必要が無くなるという効果を得る。
【実施例３】
【００９７】
本実施例では、親展印刷ジョブの削除までの時間延長を繰り返し要求する上位装置に対して、繰り返し回数が所定の回数まで達した場合は、延長要求を行わずにＲＡＭから該当する親展印刷データと、その属性管理情報とを消去することとする。
【００９８】
図１０は、実施例３の構成を示すブロック図である。
図に示すように実施例３の画像形成装置３００は、入出力Ｉ／Ｆ部１と、属性管理部２と、ＲＡＭ３と、操作部５と、計時部６と、印刷部７と、共通バス１０と、消去延長処理部１１と、装置状態検出部１２と、継続電源供給部１３と、消去延長回数履歴管理部２１と、ＣＰＵ２２と、ＲＯＭ２３とを備える。以下に、実施例１又は実施例２との相違部分のみについて説明する。実施例１又は実施例２と同様の部分については、実施例１又は実施例２と同一の符合を付して説明を省略する。
【００９９】
消去延長回数履歴管理部２１は、親展印刷ジョブの削除までの時間延長繰り返し回数を管理し、所定の回数に達した場合には、上位装置５１に対して延長要求を禁止し、ＲＡＭ３から該当する親展印刷ジョブ、及びその属性管理情報を消去する部分である。この部分は、ＲＯＭ２３に予め格納されている所定の制御プログラムをＣＰＵ２２が実行することによって起動される手段である。
【０１００】
ＣＰＵ２２は、ＲＯＭ２３に予め格納されている制御プログラムを実行して装置全体を制御するマイクロプロセッサである。特に、本実施例では、実施例２における制御に加えて、ＲＯＭ２３に予め格納されている制御プログラムを実行して、消去延長回数履歴管理部２１を起動する部分である。
【０１０１】
ＲＯＭ２３は、ＣＰＵ２２が実行することによって装置全体を制御する制御プログラムを予め格納するリードオンリーメモリである。特に本実施例では、実施例２で格納する制御プログラムに加えて、ＣＰＵ２２が実行することによって消去延長回数履歴管理部２１を起動する制御プログラムを予め格納するリードオンリーメモリである。
【０１０２】
以上説明した画像形成装置３００の動作について説明する。
画像形成装置３００（図１０）と上位装置５１（図１０）との間に於ける信号送受信のシーケンス、及び上位装置５１（図１０）の動作については、実施例１又は実施例２と同様なので説明を省略し、画像形成装置３００（図１０）の動作のみについて説明する。
【０１０３】
図１１は、実施例３の画像形成装置の動作説明図である。
図に示すステップＳ３−１からステップＳ３−２４までステップ順に実施例３の画像形成装置の動作について説明する。
【０１０４】
ステップＳ３−１
上位装置５１（図１０）からネットワークを介して印刷ジョブを入出力Ｉ／Ｆ部（図１０）が受信する。図２の時刻ｔ２に該当する。
【０１０５】
ステップＳ３−２
印刷ジョブは、一時親展データ格納領域３−１（図１０）に格納される。
ステップＳ３−３
認証コード検出手段２−１（図１０）は、データ付加認証情報（パスワート）を検索し、検出出来なかった場合はステップＳ３−２０へ進み、検出出来た場合はステップＳ３−４へ進む。
【０１０６】
ステップＳ３−４
上位装置特定手段２−２（図１０）は、上位装置（クライアントＰＣ）５１（図１０）のＩＰアドレスからクライアントＰＣを特定する。ここでＩＰアドレスは一例であって例えばメールアドレス等であっても良い。
【０１０７】
ステップＳ３−５
データ付加認証情報（パスワート）と、上位装置（クライアントＰＣ）５１（図１０）のＩＰアドレスは、属性管理情報格納領域３−２（図１０）に格納され親展データ管理手段２−４（図１０）によって管理される。
【０１０８】
ステップＳ３−６
経過時間計測手段１１−１（図１０）は、経過時間の計時を開始する。
ステップＳ３−７
消去延長要否問い合わせ手段４−２（図１０）は、印刷要求認証情報（パスワード）の受け入れを監視する。入力されたときはステップＳ３−２１へ進み、入力されないときはステップＳ３−８へ進む。
【０１０９】
ステップＳ３−８
装置状態検出部１２（図１０）が、異常事態を検出した場合にはステップＳ３−２２へ進み、異常事態を検出しない場合にはステップＳ３−９へ進む。
【０１１０】
ステップＳ３−９
消去延長要否問い合わせ手段４−２（図１０）は、印刷要求認証情報（パスワード）がＴ４以内に入力されるのを待って、ステップＳ３−７、ステップＳ３−８、ステップＳ３−２２、ステップＳ３−２３、ステップＳ３−２４、ステップＳ３−９、ステップＳ３−７を繰り返しながら待機し、Ｔ４以内に入力された場合はステップＳ３−７からステップＳ３−２１へ進み、Ｔ４（＝Ｔ１＋Ｔ３）以内に入力されない場合はステップＳ３−１０へ進む。ここでＴ１は、上位装置が親展印刷ジョブを送信してから画像形成装置に印刷要求認証情報（パスワード）が入力されるまでの時間と、延長要否問い合わせ信号を送信してからオペレータが、印刷要求認証情報（パスワード）を入力するために上位装置から画像形成装置まで移動する時間を考慮して設定される。更に、Ｔ３は、装置状態検出部１２が、異常事態を検出してから復旧するまでに経過した時間である。
【０１１１】
ステップＳ３−１０
消去延長回数履歴管理部２１（図１０）は、消去延長回数の履歴に１加算する。
ステップＳ３−１１
消去延長回数履歴管理部２１（図１０）は、消去延長回数の履歴が履歴値Ｃ１（例えば５）になった場合にはステップＳ３−１８へ進み、履歴値Ｃ１に達しない場合にはステップＳ３−１２へ進む。
【０１１２】
ステップＳ３−１２
消去延長要否問い合わせ手段４−２（図１０）は、所定の時間Ｔ４経過しても、オペレータ（印刷出力要求者）が印刷要求認証情報（パスワード）を入力しないので、ネットワークを介して延長要否問い合わせ信号を上位装置５１（図１０）に対して送信する。図２の時刻ｔ３に該当する。
【０１１３】
ステップＳ３−１３
消去延長要否問い合わせ手段４−２（図１０）は、印刷要求認証情報（パスワード）が入力されるのを待って待機する。印刷要求認証情報（パスワード）が入力された場合にはステップＳ３−２１へ進み、入力されない場合にはステップＳ３−１４へ進む。
【０１１４】
ステップＳ３−１４
延長要求信号が入力されれば（図２の時刻ｔ６に該当する）、消去・延長決定処理手段４−３（図１０）が消去時間を延長してステップＳ３−７へ戻る。ステップＳ３−７からステップＳ３−１４（ステップＳ３−８とステップＳ３−９の間にステップＳ３−２２からステップＳ３−２４含む）までが繰り返され、その繰り返し中に印刷要求認証情報（パスワード）が入力されればステップＳ３−７から、又はステップＳ３−１３からステップＳ３−２１へ進む。また、繰り返し中に再度Ｔ４時間経過してしまい、ステップＳ３−１２で消去延長要否問い合わせ手段４−２（図１０）が延長要否問い合わせ信号を上位装置５１（図１０）に対して送信し（図２の時刻ｔ７に該当する）、延長要求信号が再度入力された場合には再度消去時間が延長される。又、繰り返し中に消去延長回数の履歴が履歴値Ｃ１（例えば５）になった場合にはステップＳ３−１８へ進む。又繰り返し中に延長要求信号が入力されなければ、ステップＳ３−１５へ進む。
【０１１５】
ステップＳ３−１５
消去・延長決定処理手段４−３（図１０）は、延長否信号が入力された場合（図４の時刻ｔ１６に該当）には、ステップＳ３−１８へ進み、延長否信号が入力されない場合にはステップＳ３−１６へ進む。
【０１１６】
ステップＳ３−１６
消去・延長決定処理手段４−３（図１０）は、経過時間計測手段１１−１を監視し、Ｔ２を経過したときはステップＳ３−１７へ進み、経過しないときはステップＳ３−１３へ戻ってステップＳ３−１３からステップＳ３−１６を繰り返し、その途中で延長否信号が入力された場合（消去要求）には、ステップＳ３−１８へ進む。
【０１１７】
ステップＳ３−１７
消去・延長決定処理手段４−３（図１０）は、所定の時間Ｔ４経過しても、オペレータ（印刷出力要求者）が印刷要求認証情報（パスワード）を入力しないので、ネットワークを介して親展印刷ジョブの消去通知を送信する。図４の時刻ｔ１７に該当する。
【０１１８】
ステップＳ３−１８
消去・延長決定処理手段４−３（図１０）は、親展データ格納領域３−１（図１０）から親展印刷ジョブを消去する。
ステップＳ３−１９
消去・延長決定処理手段４−３（図１０）は、属性管理情報格納領域３−２（図１０）から、該当する親展データ属性管理情報を消去してフローを終了する。
【０１１９】
ステップＳ３−２０
通常の印刷処理に該当する印刷ジョブなので、印刷部７（図１０）は、印刷データを印刷出力して処理を終了する。
【０１２０】
ステップＳ３−２１
照合手段２−３（図１０）がデータ付加認証情報（パスワート）と印刷要求認証情報（パスワード）との照合を確認すると、印刷部７（図１０）は、親展データ管理手段２−４（図１０）から親展印刷ジョブの格納アドレスを受け入れて印刷データを印刷出力してステップＳ３−１８へ進み、ステップＳ３−１８、ステップＳ３−１９を通ってフローを終了する。
【０１２１】
ステップＳ３−２２
装置状態検出部１２（図１０）は、異常事態発生時からの経過時間（Ｔ３）計測を開始する。
【０１２２】
ステップＳ３−２３
装置状態検出部１２（図１０）は、異常事態発生時からの経過時間（Ｔ３）を計測しながら復旧を待つ。
【０１２３】
ステップＳ３−２４
装置状態検出部１２（図１０）は、異常事態の復旧を検出し経過時間Ｔ３を保持してステップＳ３−９へ進む。更に、この経過時間Ｔ３に基づいてＴ４が算出され以後のフローを経過してフローを終了する。
【０１２４】
以上説明したように、本実施例によれば親展印刷ジョブの削除までの時間延長を繰り返し要求する上位装置５１に対して、繰り返し回数が所定の回数まで達した場合は、その上位装置５１に対して延長要求を行わずにＲＡＭ３から該当する印刷データと、その属性管理情報とを消去することによって、ＲＡＭ３の記憶容量を減らすことが出来るという効果を得る。
【実施例４】
【０１２５】
本実施例では、親展印刷ジョブの延長要否の要求を上位装置（親展印刷ジョブを送信した上位装置以外の上位装置）から受信することを可能にする。
【０１２６】
図１２は、実施例４の構成を示すブロック図である。
図に示すように実施例４の画像形成装置４００は、入出力Ｉ／Ｆ部１と、属性管理部２と、ＲＡＭ３と、操作部５と、計時部６と、印刷部７と、共通バス１０と、装置状態検出部１２と、継続電源供給部１３と、消去延長回数履歴管理部２１と、消去延長処理部３１と、ＣＰＵ３２と、ＲＯＭ３３を備える。以下に、実施例３との相違部分のみについて説明する。実施例１〜実施例３と同様の部分については、実施例１〜実施例３と同一の符合を付して説明を省略する。
【０１２７】
消去延長処理部３１は、その内部に経過時間計測手段１１−１と、消去延長要否問い合わせ手段３１−１と、消去・延長決定処理手段４−３とを有し、親展印刷ジョブ受信時から所定の時間が経過すると、送信元へ消去時間延長要否の回答を求め、その回答結果が消去延長要であると、印刷ジョブを受信してから消去するまでの経過時間を延長し、回答結果が消去延長否であるか又は回答がない場合には親展印刷ジョブを消去する部分である。更に、上位装置５１（親展印刷ジョブを送信した上位装置以外の上位装置）から親展データ情報の問い合わせがあると、親展データ情報を、その問い合わせ先へ送出して親展データの延長／削除要求を受け入れる手段である。この部分は、ＲＯＭ３３に予め格納されている所定の制御プログラムをＣＰＵ３２が実行することによって起動される部分である。
【０１２８】
消去延長要否問い合わせ手段３１−１は、経過時間計測手段１１−１による計測結果が所定の時間を経過すると上記送信元へ消去時間延長の要否回答を求めるメッセージを送信し、その回答を受け入れる手段である。更に、上位装置５１（親展印刷ジョブを送信した上位装置以外の上位装置）から親展データ情報の問い合わせがあると、親展データ情報を、その問い合わせ先へ送出して親展データの延長／削除要求を受け入れる手段である。
【０１２９】
ＣＰＵ３２は、ＲＯＭ３３に予め格納されている制御プログラムを実行して装置全体を制御するマイクロプロセッサである。特に、本実施例では、実施例３における制御に加えて、ＲＯＭ３３に予め格納されている制御プログラムを実行して、消去延長処理部３１を起動する部分である。
【０１３０】
ＲＯＭ３３は、ＣＰＵ３２が実行することによって装置全体を制御する制御プログラムを予め格納するリードオンリーメモリである。特に本実施例では、実施例３で格納する制御プログラムに加えて、ＣＰＵ３２が実行することによって消去延長処理部３１を起動する制御プログラムを予め格納するリードオンリーメモリである。
次に、画像形成装置４００の内部動作、及び上位装置５１の内部動作について説明する。
【０１３１】
図１３は、実施例４の画像形成装置の動作説明図である。
図に示すステップＳ４−１からステップＳ４−９までステップ順に実施例４の画像形成装置の動作について説明する。
ステップＳ４−１
画像形成装置４００（図１２）は、ネットワーク５０（図１２）を介して上位装置５１（図示しない他の上位装置）から親展データ情報の問い合わせを受信する。
【０１３２】
ステップＳ４−２
消去延長要否問い合わせ手段３１−１（図１２）は、入出力Ｉ／Ｆ部１（図１２）を介して親展データ情報の問い合わせを受け入れると、親展データ情報を、その問い合わせ先へ送信して親展データの消去延長要否について問い合わせる。
【０１３３】
ステップＳ４−３
消去延長要否問い合わせ手段３１−１（図１２）は、上位装置５１（親展印刷ジョブを送信した上位装置以外の上位装置）から親展データの消去延長要否信号を受信する。
【０１３４】
ステップＳ４−４
照合手段２−３（図１２）は、属性管理情報格納領域３−２（図１２）に格納されているデータ付加認証情報（パスワート）と、上位装置５１（親展印刷ジョブを送信した上位装置以外の上位装置）から受け入れた印刷要求認証情報（パスワード）とを照合し、認証出来た場合はステップＳ４−６へ進み、認証出来なかった場合はステップＳ４−５へ進む。
【０１３５】
ステップＳ４−５
消去延長要否問い合わせ手段３１−１（図１２）は、上位装置５１（親展印刷ジョブを送信した上位装置以外の上位装置）に対して認証出来なかったので親展データの消去延長要否要求を認めない旨返信してフローを終了する。
【０１３６】
ステップＳ４−６
親展データの消去延長要否要求が、消去延長要である場合にはステップＳ４−９へ進み、消去延長否である場合にはステップＳ４−７へ進む。
【０１３７】
ステップＳ４−７
消去・延長決定処理手段４−３（図１２）は、親展データ格納領域３−１（図１２）から親展印刷ジョブを消去する。
【０１３８】
ステップＳ４−８
消去・延長決定処理手段４−３（図１２）は、属性管理情報格納領域３−２（図１２）から、該当する親展データ属性管理情報を消去してフローを終了する。
【０１３９】
ステップＳ４−９
消去・延長決定処理手段４−３（図１２）は、消去時間を延長してフローを終了する。
【０１４０】
図１４は、実施例４の上位装置の動作説明図である。
図に示すステップＳ４−１１からステップＳ４−１９までステップ順に実施例４の上位装置の動作について説明する。
ステップＳ４−１１
上位装置５１（親展印刷ジョブを送信した上位装置以外の上位装置）から画像形成装置４００（図１２）に対して、ネットワーク５０（図１２）を介して親展データ情報の問い合わせを行う。
【０１４１】
ステップＳ４−１２
上位装置５１（親展印刷ジョブを送信した上位装置以外の上位装置）は、画像形成装置４００（図１２）からの応答を待って待機し、応答（親展データ情報の受信）があると次へ進む。
【０１４２】
ステップＳ４−１３
制御部５１−２（図１２）は、画像表示部５１−１（図１２）に親展データ管理情報を表示する。
図１５は、親展データ管理情報表示画像である。
図に示すように親展データ管理情報表示画像には、親展印刷ジョブを特定するための内容として「管理Ｎｏ」と、「時間」と、「ファイル」と、「頁数」と、「ＰＲＩＮＴＥＲ名」と、「クライアントＰＣ」と、「状態」と、「計時延長」と、「データ削除」が表示される。オペレータ（印刷出力要求者）は、ステップＳ４−１４で、これらの項目によって親展データを特定し、認証コード（自己のパスワード）を入力し、送信、又はキャンセルをクリックして親展データの消去延長要否要求を送信することになる。図１４へ戻ってステップ順に実施例４の上位装置の動作説明を継続する。
【０１４３】
ステップＳ４−１４
オペレータ（印刷出力要求者）は、親展データ管理情報表示画像（図１５）に基づいて親展データを特定する。
【０１４４】
ステップＳ４−１５
オペレータ（印刷出力要求者）は、親展データ管理情報表示画像（図１５）に基づいて認証コード（自己のパスワード）を入力する。
【０１４５】
ステップＳ４−１６
オペレータ（印刷出力要求者）が、親展データ管理情報表示画像（図１５）に基づいて送信ボタンをクリック又は押下するとステップＳ４−１９へ進み、クリック又は押下しない場合にはステップＳ４−１７へ進む。
【０１４６】
ステップＳ４−１７
オペレータ（印刷出力要求者）が、親展データ管理情報表示画像（図１５）に基づいてキャンセルボタンをクリック又は押下するとステップＳ４−１８へ進み、それ以外の場合には、オペレータ（印刷出力要求者）の入力を待って待機する。
【０１４７】
ステップＳ４−１８
制御部５１−２（図１２）は、画像表示部５１−１（図１２）に表示されている親展データ管理情報表示画像（図１５）をクローズしてフローを終了する。
【０１４８】
ステップＳ４−１９
制御部５１−２（図１２）は、入出力部５１−３（図１２）を介して親展データの消去延長要否信号を画像形成装置に向けて送信してフローを終了する。
【０１４９】
以上説明したように、本実施例によれば、オペレータが、親展印刷ジョブを送信した上位装置以外の上位装置から、親展印刷ジョブの延長要否を要求出来るので所定の時間を徒過してしまう危険性が小さくなるという効果を得る。
【産業上の利用可能性】
【０１５０】
以上の説明では、プリンタ等の印刷装置に適用させた場合について説明したが、本発明は、この例に限定されるものではない。即ち、ファクシミリ装置や、複写機などにも適用可能である。
【図面の簡単な説明】
【０１５１】
【図１】実施例１の構成を示すブロック図である。
【図２】データ消去時間延長のシーケンスである。
【図３】親展印刷の延長要否確認画像である。
【図４】ジョブ消去のシーケンスである。
【図５】親展印刷ジョブの消去通知画像である。
【図６】実施例１の画像形成装置の動作説明図である。
【図７】実施例１の上位装置の動作説明図である。
【図８】実施例２の構成を示すブロック図である。
【図９】実施例２の画像形成装置の動作説明図である。
【図１０】実施例３の構成を示すブロック図である。
【図１１】実施例３の画像形成装置の動作説明図である。
【図１２】実施例４の構成を示すブロック図である。
【図１３】実施例４の画像形成装置の動作説明図である。
【図１４】実施例４の上位装置の動作説明図である。
【図１５】親展データ管理情報表示画像である。
【符号の説明】
【０１５２】
１    入出力Ｉ／Ｆ部
２    属性管理部
２−１    認証コード検出手段
２−２    上位装置特定手段
２−３    照合手段
２−４    親展データ管理手段
３    ＲＡＭ
３−１    親展データ格納領域
３−２    属性管理情報格納領域
４    消去延長処理部
４−１    経過時間計測手段
４−２    消去延長要否問い合わせ手段
４−３    消去・延長決定処理手段
５    操作部
６    計時部
７    印刷部
８    ＣＰＵ
９    ＲＯＭ
１０    共通バス
５０    ネットワーク
５１    上位装置
５１−１    画像表示部
５１−２    制御部
５１−３    入出力部
【図１】
2006231673.tif 000003
【図２】
2006231673.tif 000004
【図３】
2006231673.tif 000005
【図４】
2006231673.tif 000006
【図５】
2006231673.tif 000007
【図６】
2006231673.tif 000008
【図７】
2006231673.tif 000009
【図８】
2006231673.tif 000010
【図９】
2006231673.tif 000011
【図１０】
2006231673.tif 000012
【図１１】
2006231673.tif 000013
【図１２】
2006231673.tif 000014
【図１３】
2006231673.tif 000015
【図１４】
2006231673.tif 000016
【図１５】
2006231673.tif 000017